(57)【要約】本発明は、取り外し可能な楽器用のピック（１０）である。このピックの外縁の周りのカットライン（１８）によりシート材に形成された複数の楽器用のピック（１２）を有するシート材（１４）が与えられている。これらピックは、ピックとシート材（１０２）との間の少なくとも１つの相互適合部と、ピックをシート材に結合しているアンカットウェブ（１６）との少なくとも一方により、シート材に取り外し可能に保持されている。ピックは、所望に応じてピックを取り外すようにウェブを切断し、並びに/若しくは、ピック形状のアパチャを見せるように相互適合部を解除することにより、カード本体から取り外され、また、収容のために前記アパチャ内に再び位置されることができる。シート材は、アクセスを容易にするように、財布若しくはハンドバッグ中に携帯されるか、マイクフォンスタンド等に吊り下げられるようなサイズであり得る。
2007531018.tif 000002
【特許請求の範囲】
【請求項１】
取り外し可能な楽器用のピックであって、
ピックの少なくとも一部分の周りに形成された少なくとも１つのカットラインにより形成された少なくとも１つの楽器用のピックを有するシート材を具備し、少なくとも１つの楽器用のピックは、ピックと前記シート材との間の少なくとも１つの相互適合部と、前記少なくとも１つのカットラインの外側のカード本体に少なくとも１つの楽器用のピックを接続したウェブを形成している、少なくとも１つのピックの周りの少なくとも１つのアンカットエリアとの少なくとも一方により、前記シート材と一緒にこのシート材に取り外し可能で保持され、また、ピックは、少なくとも１つのピックを前記カード本体から変位させて前記相互適合部を解除することと、少なくとも１つの前記ウェブを切断することとの少なくとも一方により、前記カードから取り外されることが可能なピック。
【請求項２】
平坦な前記シート材は、ほぼ剛性のプラスチックシート材である請求項１の取り外し可能な楽器用のピック。
【請求項３】
複数のカットラインが、ダイカッティングにより形成されている請求項１又は２の取り外し可能な楽器用のピック。
【請求項４】
前記平坦なシート材は、分離可能な第１の部分と第２の部分とを有しており、これら第１の部分と第２の部分との各々は、取り外し可能なピックを支持している前記全ての請求項のいずれか１の取り外し可能な楽器用のピック。
【請求項５】
複数のピックがシートに形成され、これらピックは、ほぼ同じサイズ並びに形状を有している前記全ての請求項のいずれか１の取り外し可能な楽器用のピック。
【請求項６】
複数のピックがシートに形成され、これらピックは、サイズ並びに形状の少なくとも一方が異なっている前記全ての請求項のいずれか１の取り外し可能な楽器用のピック。
【請求項７】
前記カード本体を他の構成物に支持させるためのホールをさらに具備する前記全ての請求項のいずれか１の取り外し可能な楽器用のピック。
【請求項８】
前記ホールは、前記カード本体に予め形成されるか、使用者によって望まれたときにホールを露出するように容易に取り外され得る破断部分を有する請求項７の取り外し可能な楽器用のピック。
【請求項９】
前記各ピックは、単一のウェブによって、前記カード本体に装着されている前記全ての請求項のいずれか１の取り外し可能な楽器用のピック。
【請求項１０】
前記シート材は細長く、複数のピックを直線状に支持している前記全ての請求項のいずれか１の取り外し可能な楽器用のピック。
【請求項１１】
前記平坦なシート材は、プラスチックシート材、殻、骨、金属、並びに紙からなるグループから選択される前記全ての請求項のいずれか１の取り外し可能な楽器用のピック。
【請求項１２】
前記シート材は平坦である前記全ての請求項のいずれか１の取り外し可能な楽器用のピック。
【請求項１３】
前記複数のピックは、グラフィック表示を支持している前記全ての請求項のいずれか１の取り外し可能な楽器用のピック。
【請求項１４】
前記シート材から取り外されたピックは、前記カード本体から取り外されたピックの外縁を、このピックが取り外されたときに形成されたアパチャ、若しくは、前記シート材の同様のサイズ並びに形状のアパチャと相互適合で再接続させることにより、ピックが取り外された前記シート材に再度保持されることが可能である前記全ての請求項のいずれか１の取り外し可能な楽器用のピック。
【発明の詳細な説明】
【技術分野】
【０００１】
本発明は、弦楽器のためのバチ、若しくはピック、より詳細には、カード、シート、ストリップ等から容易に取り外され得る、ギター並びに他の弦楽器のためのピックに関する。
【背景技術】
【０００２】
ギター、マンドリン、ベースのような多くの弦楽器は、一般に（必ずしも全部ではない）可撓性のほぼ平坦な小さなピース部材で形成されたピックによって演奏される。このようなピックは、種々のサイズがあり、プラスチック（例えばＰＶＣ、アセタール・ポリオキシメチレン（ＰＯＭ）樹脂（即ち、デルリン（登録商標）、ナイロン等）、殻、金属、石、紙、複合材料、並びに他の材料を含む多くの種類の材料で形成されている。このようなピックは、使用者の好みに応じて、様々な厚さ並びにスチフネスを有するように形成されている。また、このようなピックは、１つ以上の曲線部を有するようにしばしば成形され、また、１つ以上の端部が、ほぼたん形状(ogive)であり得る。このようなピックは、また、複数のカラーを有し、表面にグラフィックを有することができる。実際、ピックは、ミュージシャンやミュージシャンでない人により収集されている。
【０００３】
ピックは、楽器屋で、プラスチック袋、蓋のない容器にまとめて展示されたり、紙のディスプレイに展示されたりしている。
【発明の開示】
【発明が解決しようとする課題】
【０００４】
ピックは長持ちであり得るが、頻繁に紛失、若しくは置き忘れられ、使用者は、異なる歌、楽器、状況において異なるピックを使用することを望む。適切なピックがない場合には、ミュージシャンは、必要に応じてコインのような他の物をピックとして使用して即興演奏することができる。ミュージシャンにとっては、ピックがいつでも、どこでも使用できるようにピックを余分に携帯する効果的な方法を有することが実用的である。
【０００５】
また、ミュージシャンが、演奏中、必要なときに容易に手に取ることができるようなピックを容易かつアクセス可能に供給することが実用的である。
【課題を解決するための手段】
【０００６】
本発明の更なる効果は、添付図面に関連した以下の詳細な説明を読むことにより明らかとなるであろう。
【発明を実施するための最良の形態】
【０００７】
図１を参照すると、取り外し可能なピックの財布サイズのカード１０の例示的な第1の実施形態の平面図が示されている。このカード１０では、取り外し可能な３つのピック１２Ａ，１２Ｂ，１２Ｃが、カットライン部分１８Ａ，１８Ｂ，１８Ｃをそれぞれ分離している複数のウェブ１６により、カード本体１４に装着されている。前記ピックは、（例えば、ピックを押すか、ブレードでウェブを切るかして）ウェブが破断若しくは切断されるまでカードと一体的なままであるように、通常、ウェブをそのままの状態にしてカードからダイカットされることができる。これらウェブの幅並びにサイズは、ピックをカードから取り外すのにどの程度の力が必要とされるかに応じて、変更されることができる。３つのウェブ１６は、各ピックとカード本体１０との間をブリッジング(bridging)するように示されているが、より少ない若しくはより多いウェブが、ピックがカードに支持されるのにどの程度の安定性が必要であるかに応じて、使用されることができる。使用される材料に応じて、カードの厚さ（かくしてピックの厚さ）は、ピックのスチフネスを制御するのに変更されることができる。ＰＶＣシート材を使用した場合、０．５１ｍｍの厚さの材料（０．０２’’、即ち２０ミル）、０．７６ｍｍの厚さの材料（０．０３”、即ち３０ミル）、１．０２ｍｍの厚さの材料（０．０４”、即ち４０ミル）、並びに１．２７ｍｍの厚さの材料（０．０５”、即ち５０ミル）により、良い結果が得られる。この他の厚さが使用されることもでき、また、これらの厚さは、本明細書に開示されている全ての実施形態に適用される。
【０００８】
図２は、２つのピックが取り外された図１の財布サイズのカード１０と、取り外されたこれらピックの一方１２Ａとを示した平面図である。見られ得るように、ピックがカードから取り外された後、アパチャ２０には、カットラインの外縁２４に示されているウェブ２２の断片が残されている。スナップ形式で取り外されたピック１２Ａは、これの外縁２８の周りに示されているウェブ２６の断片を有した状態で示されている。
【０００９】
図３は、取り外し可能なピックの財布サイズのカード３０の例示的な第２の実施形態を示した平面図である。ピック３２Ａ，３２Ｂ，３２Ｃが、カード本体３４と一体的であるように、複数のウェブ３６によってこのカード本体に接続され、かつウェブ間のカットライン３８Ａ，３８Ｂ，３８Ｃにより、カードからダイカットされている。これらピック３２Ａ，３２Ｂ，３２Ｃは、図１並びに２のピック１２Ａ，１２Ｂ，１２Ｃとは異なる形状を有しているが、この他の点において、この実施形態は、図１並びに２の実施形態と同じである。
【００１０】
図４は、取り外し可能なピックの財布サイズのカード４０の例示的な第３の実施形態の平面図である。この形態において、ピック４２Ａ，４２Ｂ，４２Ｃ，４２Ｄ，４２Ｅが、カード本体４４と一体的であるが、各ピックは、２つのウェブ４６によりカードに接続され、これらウェブ４６間にカットライン４８Ａ，４８Ｂを有している。合計５つのピック４２Ａ，４２Ｂ，４２Ｃ，４２Ｄ，４２Ｅが示されているが、より多い若しくはより少ない数のピックがカードに配置されることもできる。
【００１１】
図５は、取り外し可能なピックの財布サイズのカード５０の例示的な第４の実施形態の平面図である。この形態では、ピック５２Ａ，５２Ｂ，５２Ｃ，５２Ｄ，５２Ｅが、カード本体５４と一体的であるが、各ピックは、２つのウェブ５６によりカードに接続され、これらウェブ５６間にカットライン５８Ａ，５８Ｂを有している。合計５つのピック５２Ａ，５２Ｂ，５２Ｃ，５２Ｄ，５２Ｅが示されているが、より多い若しくはより少ない数のピックが、カードに配置されることもできる。この実施形態では、ピック５２Ａ，５２Ｂ，５２Ｃ，５２Ｄ，５２Ｅの全てが、異なるサイズ並びに形状を有している。
【００１２】
図１ないし図５のカード本体に関して、これらカード本体は、通常、支払いカード、クレジットカード、若しくは、名刺と同じ、若しくは同様の大きさ（例えば、約５０.８ｍｍないし５４ｍｍ（２”ないし２.１２５”）から、約８５.７ｍｍないし８８.９ｍｍ（３.３７５”ないし３.５”）まで）であることができ、この結果、これらカード本体は、他の同様のサイズのカードと一緒に、使用者の財布若しくはハンドバッグ中に通常携帯されることができる。当然、他のサイズが使用されることもできる。
【００１３】
図６は、シート材６４からダイカットされた取り外し可能な複数のピック６２を有する大きなシート６０の例示的な実施形態を示した平面図である。各ピックは、破断可能並びに切断可能な複数のウェブ６６により、カード本体６４に取り外し可能に装着されている。このような大きなシートは、カード本体６４に形成された任意のホール６８により、ディスプレイ用スタンドから吊るされることができる。
【００１４】
図７は、マイクロフォンスタンド等から吊るされることができる、取り外し可能なピックのストリップ７０の例示的な実施形態の平面図である。このストリップ７０は、ストリップ本体７４と一体的な複数のピック７２Ａ，７２Ｂ，７２Ｃ，７２Ｄを有している。これらピックは、少なくとも１つのウェブ７６により、ストリップ本体７４に装着されている。このストリップ７０は、マイクロフォンスタンド若しくは他の支持体に吊るされるように、このストリップに形成されたホール７８を有し、この結果、ピックが、演奏の間に容易に使用され得ることが好ましい。必要に応じて、ホールの代わりに、ホールを後でストリップに形成することを容易に可能にするダイカットの破断部分が、ストリップに形成されることができる（図示されず）。単一のウェブの設計において、１つ以上のピック７２Ａ，７２Ｂ，７２Ｃ，７２Ｄは、使用者が、ピックを容易につかんでひねって、ピックを非常に容易かつ迅速に自由にすることができるように、無地のストリップ本体７４から外方に回動(swung)されることができる。
【００１５】
図８を参照すると、取り外し可能なピック８４，８８，９２の財布サイズのカード８０の例示的な他の実施形態の平面図が示されている。各ピックは、グラフィックイメージ８６，９０，９４をそれぞれ支持している。また、１つのカードに、１つのイメージがプリントされることもでき、かくして、各ピックは、イメージ全体の一部分を支持することができる。この例示的な実施形態の物質的構成は、図３に示されている構成に類似したものであり得る。
【００１６】
図９は、取り外し可能なピック１０６Ａ，１０６Ｂ，１０６Ｃが支持された第１の部分１０２と、取り外し可能なピック１０８Ａ，１０８Ｂ，１０８Ｃ，１０８Ｄが支持された第２の部分１０４とを有する２つの部分のカード１００の例示的な他の実施形態の平面図である。この例示的な実施形態の図解のために、取り外し可能なピック１０６Ｂは、取り外し可能なピック１０６Ａ，１０６Ｃ，１０８Ａ，１０８Ｂ，１０８Ｃ，１０８Ｄと比較して異なる形状並びにサイズを有するように示されているが、取り外し可能なピックのサイズ並びに数は、所望に応じて変更されることができる。第１の部分１０２と第２の部分１０４とは、図１０に最も良く示されているように、これら第１の部分１０２と第２の部分１０４とをスナップ形式で分離させ得るギザギザ線１１０によって、切り離し可能に一緒に接続されるように示されている。また、分離可能な２つの部分１０２，１０４が図示されているが、１つのカードが与えられても良いし、３つ以上の部分が与えられても良い。２つの部分１０２，１０４は、標準的なクレジットカードとほぼ同じディメンションを有し、即ち、約８.５７ｃｍ×５.４０ｃｍ（３ ３/８”×２ １/８”）のサイズであるか、財布、札入れ等の中に使用者によって収容される程度に小さいことが好ましい。しかし、他のカードのサイズが所望に応じて使用されることもできる。２つの部分のカード１００を小売りのディスプレイで容易に陳列可能にするために、吊り下げ用のアパチャ１１０が、２つの部分のカード１００の第１の部分１０２に任意に形成されることができる。グラフィック１１６，１１８は、カードの部分１０２，１０４に見られる。
【００１７】
現代のダイカット装置によって、非常に細いダイカットラインが、カットラインが、このカットラインに沿って幾らか材料がある場合に、多くの材料を除去しないように、形成されることができる。従って、適切なダイカット装置を使用した場合、材料部分（基体材料）からダイカットされた物体（「ダイカット物体(die cut object)」）は、所定の位置に再びスナップ適合されて、ダイカット物体が外された基体材料の開口部に相互適合部(interference)により摩擦で保持されることができる。このような場合、ダイカット物体と基体材料との間に複数のウェブを形成しているダイカットライン内の相互適合部は、非常に細く形成されることができる。かくして、ウェブのディメンション並びに数は、ダイカット物体を基体材料から取り外すために与えられる必要のある力を調整するように望まれたように、変更されることができる。ダイカットラインが非常に細く、かつダイカット物体と基体材料との間の相互適合部が十分である場合、ウェブ全体を除去する、若しくはこれらウェブを非常に細くすることが可能である。かくして、ダイカット物体は、基体材料から分離される際に、基体材料からきれいに取り外され、ダイカット物体の外縁にウェブの断片を全く残さず、従って、物体のエッジは滑らかである。また、使用されるブレードの厚さ並びにこのブレードの切断エッジの角度に応じて、物体を基体材料からダイカットした場合、ピックの外縁は、幾らか丸みが付けられ、非常に滑らかであり得る。
【００１８】
図９を再び参照すると、脆弱なラインにより一緒に接続されたカード１０２，１２４を有する、取り外し可能なピックの２つの部分のカード１００の例示的な実施形態の平面図が示されている。ピック１０６Ａを参照すると、このピックは、ピック１０６Ａと第１の部分１０２との間にウェブを形成している相互適合部１１４Ａ，１１４Ｂ，１１４Ｃを除く、ピックの外縁のほぼ全てを囲んでいるカットライン１１２により形成されている。ピックは、通常、ウェブ１１４Ａ，１１４Ｂ，１１４Ｃをそのままの状態にしたまま、カードからダイカットされることができる。かくして、ピック１０６Ａは、ウェブが（例えばピックを押すことによって）破断若しくは切断されるまで、カード１００の第１の部分１０２と一体的なままである。ウェブの幅並びにサイズは、ピックをカードから分離するのにどの程度の力が要求されるかに応じて変更されることができるが、上述したように、ピックがカードから落ちて(fall out)しまうのを防止するように、ピックとカードとの間の相互適合部が十分な強度を有する場合、ウェブ全体を除去することが可能である。３つのウェブ１１４Ａ，１１４Ｂ，１１４Ｃが、各ピックとカードの第１の部分１０２との間をブリッジングするように示されているが、より多い若しくはより少ないウェブが、ピックがカードに支持されるのにどの程度の安定性が必要であるかに応じて、使用されることができる。カードの厚さ（かくして、ピックの厚さ）、並びに選択されるシート材のタイプとは、取り外し可能なピックのスチフネスを決定するように選択されることができる。
【００１９】
図１０は、図９の２つの部分のカード１００を示した平面図であるが、２つの部分からなるカードが、２つの部分１０２，１０４に切り離され、１つのピック１０６Ａが、部分１０２から切り離され、また、ピック１２８Ａ，１２８Ｂが、部分１２４から切り離されている。ピック１０６Ｂ，１０６Ｃは、部分１０２に装着されたままであり、また、ピック１２８Ｃ，１２８Ｄは、部分１２４に装着されたままである。前記カード１０２に見られる表示（例えば、文字「The PIKCARD」）１１８とは異なるグラフィックス（例えば、縞模様）１３０が、部分１２４に施されている。このようなグラフィックス並びに表示は、図示されているように、所望に応じて、２つ以上のピックに渡って延びることができる。
【００２０】
前記カード１０，３０，４０，５０，６０，７０．８０，１００は、プラスチック、Ｔｅｓｌｉｎ（登録商標）、ラミネート紙、複合材料等のような材料で形成されることができる。このプラスチックは、例えば、ポリ塩化ビニル（ＰＶＣ）樹脂、アセタール・ポリオキシメチレン（ＰＯＭ）樹脂（即ち、Ｄｅｌｒｉｎ（登録商標）、ポリカーボネート、ナイロン（登録商標）等である。Ｔｅｓｌｉｎは、合成のディメンション(synthetic dimensionally)が安定し、充填率が高い、単層の多孔性フィルムであって、重量で６０％の摩耗防止フィラーと、体積で６５％の空気とのポリオレフィンを基礎にしている。
【００２１】
本発明の好ましい実施形態が説明されているが、この説明が、添付の請求項の範囲を限定するように解釈されるべきではない。例えば、本発明は、様々な異なるピックのサイズ、形状、厚さ、並びに構成を含むように実施されることができる。
【００２２】
さらに、当業者は、様々な変更が、説明された実施形態になされ得ることは理解するであろう。さらに、様々な分野の当業者に対して、本発明自体が、他の適用のための他の課題並びに適応に対する解決策を提案するであろう。従って、本発明の実施形態は、図示されているような全ての点で考えられるが、これに限定されないことが望ましく、本発明の範囲を示すために、以上の説明ではなく、添付の請求項が参照されている。
【図面の簡単な説明】
【００２３】
【図１】取り外し可能なピックの財布サイズのカードの例示的な第1の実施形態を示した平面図である。
【図２】１つのピックが取り外された後の図１の財布サイズのカードと、取り外されたピックとの平面図である。
【図３】取り外し可能なピックの財布サイズのカードの例示的な第２の実施形態を示した平面図である。
【図４】取り外し可能なピックの財布サイズのカードの例示的な第３の実施形態を示した平面図である。
【図５】取り外し可能なピックの財布サイズのカードの例示的な第４の実施形態の平面図である。
【図６】大きなシートに設けられた取り外し可能なピックの例示的な実施形態を示した平面図である。
【図７】マイクロフォンスタンド等に支持され得るピックのストリップに設けられた取り外し可能なピックの例示的な実施形態を示した平面図である。
【図８】画像イメージが施された取り外し可能なピックの財布サイズのカードの例示的な他の実施形態を示した平面図である。
【図９】取り外し可能なピックを有する２つの部分のカードの例示的な他の実施形態を示した平面図である。
【図１０】図９の取り外し可能なピックを有する２つの部分のカードの実施形態を示した平面図であって、２つの部分からなるカードは、２つの部分に切り離され、１つのピックは、２つのカードの一方から切り離されている。
【図１】
2007531018.tif 000003
【図２】
2007531018.tif 000004
【図３】
2007531018.tif 000005
【図４】
2007531018.tif 000006
【図５】
2007531018.tif 000007
【図６】
2007531018.tif 000008
【図７】
2007531018.tif 000009
【図８】
2007531018.tif 000010
【図９】
2007531018.tif 000011
【図１０】
2007531018.tif 000012
【手続補正書】
【提出日】平成18年11月17日(2006.11.17)
【手続補正１】
【補正対象書類名】特許請求の範囲
【補正対象項目名】全文
【補正方法】変更
【補正の内容】
【特許請求の範囲】
【請求項１】
取り外し可能な楽器用のピックであって、
ピックの少なくとも一部分の周りに形成された少なくとも１つのカットラインにより形成された少なくとも１つの楽器用のピックを有するシート材を具備し、少なくとも１つの楽器用のピックは、ピックと前記シート材との間に少なくとも１つの相互適合部と、前記少なくとも１つのカットラインの外側のカード本体に少なくとも１つの楽器用のピックを接続したウェブを形成している、少なくとも１つのピックの周りの少なくとも１つのアンカットエリアとにより、前記シート材の残りの部分に取り外し可能で装着され、また、ピックは、前記相互適合部を解除するように前記少なくとも１つのピックを前記カード本体から移動させて前記少なくとも１つのウェブを切断することにより、前記カード本体から取り外され、また、ピックは、ピックが前記カード本体から取り外されたときに形成されたアパチャの外縁と相互適合で再接続されるように形成されているピック。
【請求項２】
前記シート材は、平坦な部材であり、ほぼ剛性のプラスチックシート材である請求項１の取り外し可能な楽器用のピック。
【請求項３】
複数のカットラインが、ダイカッティングにより形成されている請求項１又は２の取り外し可能な楽器用のピック。
【請求項４】
前記平坦な部材のシート材は、分離可能な第１の部分と第２の部分とを有しており、これら第１の部分と第２の部分との各々は、取り外し可能なピックを支持している請求項１又は２の取り外し可能な楽器用のピック。
【請求項５】
複数のピックがシートに形成され、これらピックは、ほぼ同じサイズ並びに形状を有している請求項１ないし４の取り外し可能な楽器用のピック。
【請求項６】
複数のピックがシートに形成され、これらピックは、サイズ並びに形状の少なくとも一方が異なっている請求項１ないし４の取り外し可能な楽器用のピック。
【請求項７】
前記カード本体を他の構成物に支持させるためのアパチャをさらに具備する請求項１ないし６のいずれか１の取り外し可能な楽器用のピック。
【請求項８】
前記アパチャは、前記カード本体に予め形成されるか、使用者によって望まれたときにアパチャを露出するように容易に取り外され得る破断部分を有する請求項７の取り外し可能な楽器用のピック。
【請求項９】
前記各ピックは、単一のウェブによって、前記カード本体に装着されている請求項１ないし８のいずれか１の取り外し可能な楽器用のピック。
【請求項１０】
前記シート材は細長く、複数のピックを直線状に支持している請求項１ないし９のいずれか１の取り外し可能な楽器用のピック。
【請求項１１】
前記平坦なシート材は、プラスチックシート材、殻、骨、金属、並びに紙からなるグループから選択される請求項１ないし１０のいずれか１の取り外し可能な楽器用のピック。
【請求項１２】
前記シート材は平坦である請求項１ないし１１のいずれか１の取り外し可能な楽器用のピック。
【請求項１３】
前記複数のピックは、グラフィック表示を支持している請求項１ないし１２のいずれか１の取り外し可能な楽器用のピック。
【国際調査報告】
2007531018.tif 000013